(57)【特許請求の範囲】
【請求項１】
少なくとも透明板を用いることにより外部空間から視認可能に隔離された展示空間内に展示物を展示するための展示ケースであって、
前記透明板の端部同士を接合させた接合部と、
前記接合部の前記展示空間側における、前記透明板の端部に形成した面取り面に添設させた導電線部とを具備し、
前記接合部が、前記透明板の端部間に介在させた単一の層状をなす透明のシール部のみにより前記透明板の端部同士を接合させたものであり、
前記導電線部を前記面取り面と前記シール部とに添設させていることを特徴とする展示ケース。
【請求項２】
前記接合部を、前記透明板の端部同士を屈曲させた状態で接合させたものとしている請求項１記載の展示ケース。
【請求項３】
前記導電線部が、前記接合部によって展示空間側に形成された入り隅に位置付けられたものである請求項２記載の展示ケース。
【請求項４】
前記導電線部が、前記接合部によって展示空間側に形成された出隅に位置付けられたものである請求項２又は３記載の展示ケース。
【請求項５】
前記シール部の厚み寸法が前記導電線部の直径に略等しいものである請求項１、２、３又は４記載の展示ケース。
【請求項６】
前記導電線部が、導電性を有する金属からなる金属線と、当該金属線を保護するための樹脂カバーとを有している請求項１、２、３、４又は５記載の展示ケース。
【請求項７】
前記導電線部が、導電性を有する金属からなる金属線と、金属線の表面を着色する塗膜とを有している請求項１、２、３、４、５又は６記載の展示ケース。
【請求項８】
前記塗膜が、灰色をなすものである請求項７記載の展示ケース。
【請求項９】
前記導電線部が、前記展示空間の下方に設けられた給電部からの電力を前記展示空間の上端に位置付けられた照明へ給電するためのものである請求項１、２、３、４、５、６、７又は８記載の展示ケース。
【請求項１０】
前記展示空間が、側方を前記透明板及び前記接合部のみによって外部空間から隔離されて形成されたものである請求項１、２、３、４、５、６、７、８又は９記載の展示ケース。
【発明の詳細な説明】
【技術分野】
【０００１】
本発明は、美術館等において展示品を展示するための展示ケースに関するものである。
【背景技術】
【０００２】
通常、美術館や博物館において美術工芸品などを展示する場合、その展示物を展示ケースに入れて出展することが多い。このような場合、外部空間から視認可能に隔離された展示空間内に展示物を収容している。具体的には、板ガラスといった透明板を接合部を介して接合することによって、展示物を外部から視認可能に隔離しつつ保護するとともに、所定の方向から展示物に対して光を照射し得る照明部を設けた態様のものが種々提案されている。
【０００３】
そしてこの種の展示ケースでは、外部からの視認性を良好なものとすべく、照明部に給電するための導電線を目立たなくするために、透明板の接合部分の端面に溝を設け、当該溝に導電線を内蔵させる態様を採用したもの（例えば、特許文献１、図９等参照）や、透明板間に隙間を形成し、当該隙間に導電線を内蔵させたもの(例えば、特許文献２、図４等参照)等が提案されている。
【先行技術文献】
【特許文献】
【０００４】
【特許文献１】実用新案登録第３１２１７００号公報
【特許文献２】特開昭６１−２５４２２号公報、
【発明の概要】
【発明が解決しようとする課題】
【０００５】
しかしながら、透明板に溝を設けたようなものでは、当該溝部分では溝の表面の箇所で光が屈折して透過してしまうため、導電線を配した部分が、他の箇所よりも目立ったものとなってしまい、結果として導電線を配した箇所がより目立ってしまうという不具合を招来する。また透明板間に隙間を設けたものにおいても、当該隙間に面した透明板の端面で光が屈折して透過するため、上述同様の不具合は回避し得ないものとなっている。
【０００６】
さらに、透明板に溝を設けたものであると、当該展示ケースの組立の際に、透明板を接合させる行程と、導電線を内蔵させるための行程とを同時に行なわなければならない。そうなると、透明板を正確に接合するという精密な作業の際に他の手間を余儀なくされるという煩雑な作業を作業者が余儀なくされるものとなる。
【０００７】
本発明は、上記の不具合に着目したものであり、透明板に沿って配する導電線を目立ち難くして展示空間の視認性を向上させるとともに、容易且つ確実に導電線を配置し得る展示ケースを提供する。
【課題を解決するための手段】
【０００８】
本発明は、このような目的を達成するために、次のような手段を講じたものである。すなわち本発明に係る展示ケースは、少なくとも透明板を用いることにより外部空間から視認可能に隔離された展示空間内に展示物を展示するための展示ケースであって、前記透明板の端部同士を接合させた接合部と、前記接合部の前記展示空間側における、前記透明板の端部に形成した面取り面に添設させた導電線部とを具備する。
【０００９】
このようなものであれば、透明板の端部に面取り加工により面取り面を形成し、これに導電線部を添設することにより、正確に導電線部を配置することが可能となる。また、透明板の接合部では面取り面の箇所で光が屈折して透過するため、外部空間から面取り面に添設させた導電線部を見る場合、接合部の屈折箇所と導電線部とが重複することとなり、導電線部それ自体が接合部の屈折箇所によって視認され難くなる。すなわち、面取り面が形成された接合部に起因する光の屈折を利用して、導電線部を有効に見た目上隠蔽する、すなわち目立たないように配置することが可能となる。
【００１０】
さらに、導電線部は接合部自体に設けられるものではなく、透明板の面取り面に添設させて位置付けるため、透明板を接合させて接合部を形成し、しかる後に導電線部を配置する行程を経ることによって導電線部を位置付けることが可能となる。すなわち、透明板の接合部に溝を設けたもののように透明板の接合時にのみ導電線部を配置し得ないような態様に比べて、接合部を形成する行程と、導電線部を配置する行程とをそれぞれ前後させて行なうことができる。そうすることにより、展示ケースの組み付けの煩雑さを回避しつつ確実な展示ケースの組立に寄与し得るものとなる。
【００１１】
特に透明板の接合部での光の屈折をより有効に利用した構成としてさらに導電線部を目立たなくするためには、接合部を、透明板の端部同士を屈曲させた状態で接合させたものとすることが好ましい。
【００１２】
そして、導電線部の位置決め・配置をより行い易いものとするためには、導電線部を、接合部によって展示空間側に形成された入り隅に位置付けることが好ましい。
【００１３】
他方勿論、導電線部を、接合部によって展示空間側に形成された出隅に位置付けたものとしてもよい。このようにすれば、外部空間側から接合部への光は屈折によって出隅を避けるように通ることとなり、導電線部をより目立たなくすることが可能となる。
【００１４】
そして、接合部の具体的な構成を利用して、より導電線部を目立ち難いものとするために本発明は、接合部が、透明板の端部間に介在させた単一の層状をなす透明のシール部のみにより前記透明板の端部同士を接合させたものであり、前記導電線部を前記面取り面と前記シール部とに添設させていることを特徴とする。また当該シール部の厚み寸法は導電線部の直径に略等しいものであることが望ましい。
【００１５】
加えて、導電線部の配置。位置決め作業をより行い易いものとするためには、導電線部を、導電性を有する金属からなる金属線と、当該金属線を保護するための樹脂からなる樹脂カバーとを有したものとすることが好ましい。
【００１６】
また、導電線部がより目立ち難くするための構成として、導電線部を、導電性を有する金属からなる金属線と、金属線の表面を着色する塗膜とを有したものとすることが好ましい。そして、例えばガラスやアクリルからなる透明板に添設させるために、より目立ち難くするためには、塗膜を、灰色をなすものとして、透明板が接合部において厚みが視認される場合の色彩に近似した色彩とすることで塗膜が目立ち難いものとすることが好ましい。
【００１７】
そして、上述した構成とすれば、導電線部が、展示空間の下方に設けられた給電部からの電力を展示空間の上端に位置付けられた照明へ給電するためのものに、好適に適用することが可能である。
【００１８】
また、上述した構成であれば、展示空間が、側方を透明板及び接合部のみによって外部空間から隔離されて形成されたもの、すなわち、側方のどの方向からも展示空間内を視認可能な展示ケースであっても導電線部を確実に、且つ、目立たないように配置することが可能である。
【発明の効果】
【００１９】
本発明によれば、透明板に形成した面取り面に導電線部を添設することにより、正確に導電線を配置することが可能となる。また、面取り面が形成された透明板の接合部に起因する光の屈折を利用して、導電線を有効に見た目上隠蔽する、すなわち目立たないように配置することが可能となる。さらに、透明板の接合部に溝を設けたものに比べて、接合部を形成する行程と、導電線部を配置する行程とをそれぞれ前後させて行なうことができるので、展示ケースの組み付けの煩雑さを回避しつつ確実な展示ケースの組立に寄与し得るものとなる。
【図面の簡単な説明】
【００２０】
【図１】本発明の一実施形態に係る展示ケースの一部を破断した外観図。
【図２】同展示ケースの平断面図。
【図３】同展示ケースの要部を示す外観図。
【図４】同展示ケースの要部を示す他の外観図。
【図５】図２における要部を拡大した断面図。
【図６】同実施形態の変形例１に係る平断面図。
【図７】図６における要部を拡大した断面図。
【図８】同実施形態の変形例２に係る平断面図。
【図９】図８における要部を拡大した断面図。
【図１０】同実施形態の変形例３に係る要部の断面図。
【発明を実施するための形態】
【００２１】
以下、本発明の一実施の形態について図面を参照して説明する。
【００２２】
本実施形態に係る展示ケースＡは、例えば美術館や博物館等において展示物を収容・展示するためのものを、一例として示している。
【００２３】
当該展示ケースＡは、図１に示すように、正面視正方形状をなす直方体状の外観をなすものであり、床面上に配される基台部４と、当該基台部４に支持された４枚の透明板１すなわち正面ガラス１１、側面ガラス１２、１３及び背面ガラス１４を接合部２を介して接合することにより展示物を収容するための展示空間Ｓを主に形成するケース本体Ａ１と、ケース本体Ａ１の上方に配されて主に展示物の上方から照明を照らすための機構を内蔵した天井部５とを主に有している。
【００２４】
ここで、本実施形態に係る展示ケースＡは、少なくとも透明板１を用いることにより外部空間Ｔから視認可能に隔離された展示空間Ｓ内に展示物を展示するための展示ケースＡであって、透明板１の端部２０同士を接合させた接合部２と、接合部２の展示空間Ｓ側における、透明板１の端部２０に形成した面取り面２２に添設させた導電線部３とを具備することを特徴とするものである。
【００２５】
以下、当該展示ケースＡの具体的な構成について詳述する。
【００２６】
基台部４は、下部には床面の振動を上方へ伝達し難くするための免震装置４５を配するとともに、当該免震装置４５の上方には、四方に腰パネル４１、４２、４３、４４を立設させている。そして正面に配された正面腰パネル４１は、ケース本体Ａ１側の正面ガラス１１に一体に形成されることにより、展示空間Ｓを外部空間Ｔに対して開放させ得る開閉パネルＯＰを構成している。そして、側面腰パネル４２、４３及び背面腰パネル４４は、免震装置４５近傍である下端部を軸に開閉可能に動作することにより、これら側面腰パネル４２、４３及び背面腰パネル４４の上端を手前へ引っ張ると、上方から基台部４の内部へアクセスし得るようになっている。そして基台部４の上面側は、ケース本体Ａ１、天井部５と共に展示空間Ｓを形成するための展示面４ａとし、当該展示面４ａにおける計８箇所にはファイバー照明４６を設けることにより展示物を下方から照射し得るものとなっている。また展示面４ａには、展示空間Ｓの気密性を保ちつつ導電線部３を展示空間Ｓ内へ挿通させるためのグロメットＧを配している。なお本実施形態では説明の便宜上、展示面４ａに最終的に設けられ、展示面４ａ上にある導電線部３やグロメットＧを覆うための化粧シートの図示を省略している。
【００２７】
そして、側面腰パネル４２、４３及び背面腰パネル４４を開くことによりアクセスし得る基台部４の内側には、図示しない電源装置や、調温装置や調湿装置、そしてそれらを制御するための制御装置等を内蔵しているものであるが、本実施形態ではそれらの詳細な説明を省略するものとする。
【００２８】
天井部５は、ケース本体Ａ１を構成する透明板１のうち、側面ガラス１２、１３及び背面ガラス１４によって支持されたものである。そして当該天井部５は上面側に複数の点検パネル５ｐを設けて上方からアクセス可能とし容易なメンテナンスを実現する一方、ケース本体Ａ１並びに展示面４ａとともに展示空間Ｓを形成する天井部５の下面側を上部照明部５ａとし、当該上部照明部５ａからは、例えば下面側の中央部分に広面積に亘って設けられたＬＥＤ照明や、上述のファイバー照明４６よりも出力の大きなファイバー照明を配している。そして本実施形態では、当該上部照明部５ａに給電するための電力は、導電線部３から得るものとしている。
【００２９】
ケース本体Ａ１は、図１、図２、図３、図４及び図５に示すように、４枚のガラスである透明板１と、透明板１の端部２０同士を、本実施形態では９０°屈曲させた状態で接合させた接合部２と、当該接合部２における展示空間Ｓ側の入り隅に配された導電線部３とを有している。すなわち、本実施形態の展示ケースＡは、展示空間Ｓを側方を透明板１及び接合部２のみによって外部空間Ｔから隔離されて形成されたものとして、側方における全ての方向から展示物を視認し得るものである。
【００３０】
透明板１は、図２に示すように，具体的には、正面腰パネル４１と一体に設けられた正面ガラス１１と、基台部４に対して固定されるとともに天井部５を支持している側面ガラス１２、１３と背面ガラス１４とを有している。正面ガラス１１は、上述の通り正面腰パネル４１と一体に形成されて開閉パネルＯＰを構成するものであり、同図において破線で示すように展示空間Ｓへアクセスする際にはこの開閉パネルＯＰを手前側すなわち側面ガラス１２、１３に対し離間する方向へ、一定寸法スライドさせ、しかる後に手動で回転させて、同じく破線で示す１１０°回転した位置と、１８０°回転した位置とで決めし得るものとなっている。なお本実施形態では、当該開閉パネルＯＰをスライド及び回転させるための具体的な構成についての詳細な説明は、既存の機構を採用しているため、省略するものとする。
【００３１】
接合部２は、図５に示すように、透明板１の端部２０同士をシール部２３を介して接合させたものである。具体的には、同図に示した要部の場合、一方の透明板１である側面ガラス１３の端面２１と他方の透明板１である背面ガラス１４の端部２０における端面２１近傍の面とを透明のシール部２３を介して接合させることにより、９０°の角度をなした状態で接合させたものである。そして端部２０における端面２１の両側には、面取り加工が施された面取り面２２が形成されている。すなわち図示の状態において、シール部２３近傍には常に何れかの面取り面２２が位置付けられることとなっている。なおシール部２３は、ハイクリアシールと呼ばれる透明度の高いものを採用しているが、当該シール部２３は既存の種々のものを適用することができる。
【００３２】
そして本実施形態では、上記接合部２のうち、開閉パネルＯＰを構成する正面ガラス１１と側面ガラス１２、１３とを接合する箇所に設けた２箇所の接合部２を透明板の接離が可能に接合された移動接合部２ｂとして、シール部２３の厚みを、例えば３ｍｍに設定している。他方、側面ガラス１２、１３と背面ガラス１４とを接合する箇所に設けた２箇所の接合部２を固定接合部２ａとして、シール部２３の厚みを例えば２ｍｍに設定するとともに、当該固定接合部２ａによって形成された展示空間Ｓ側の入り隅に、導電線部３を配したものとしている。そして本実施形態では、シール部２３において展示空間Ｓ側に表出する端面を凹状に湾曲させた凹端面２３ａとして、当該凹端面２３ａに導電線部３を固定する態様を採用している。
【００３３】
しかして、本実施形態に係る展示ケースＡは上述の通り、透明板１を接合させた接合部２において、透明板１に設けた展示空間Ｓ側の面取り面２２に導電線部３を添設させたものとしている。
【００３４】
導電線部３は、図１、図３、図４及び図５に示すように、図示しない基台部４における電源部から展示面４ａに設けたグロメットＧを介して展示面４ａ上を伝い、そしてケース本体Ａ１において上下に延伸する接合部２に添設させることにより、天井部５に設けた図示しない照明へと給電するためのものである。そして当該導電線部３は、例えば銅製の線材からなる金属線３１と、当該金属線３１の表面を灰色に塗装することにより設けた塗膜３２と、そして金属線３１を被覆・保護するための樹脂カバー３３とを有している。そしてこの導電線部３の直径は、上記接合部２、詳細には固定接合部２ａにおけるシール部２３の厚み寸法と略等しい２ｍｍに設定している。そして詳細には、この導電線部３は、シール部２３の凹端面２３ａに透明度の高いシリコン（クリアシール又はハイクリアシール）により接着・固定されることにより、凹端面２３ａと、当該凹端面２３ａに隣接する面取り面２２とに添設させている。
【００３５】
そして本実施形態では、塗膜３２として、ウレタン樹脂塗装を金属線３１の表面に施すことにより、灰色の中でも明度の高いライトグレーの色彩をなすものとなっている。
【００３６】
しかして本実施形態では、上述の通りに導電線部３を配することにより、図４に特に顕著に示すように、外部空間Ｔ側から接合部２の箇所を見た場合、接合部２に添設させた導電線部３は、接合部２において一部が隠蔽された状態で視認されることとなる。そしてそれ以上に、実際にはシール部２３、端面２１及び面取り面２２の箇所で光が屈折して透過するために、それらの箇所が灰色に近い色彩をなすことによって、灰色、詳細には上述のライトグレーの色彩をなした導電線部３は、より視認し難い状態となっている。
【００３７】
以上のような構成とすることにより、本実施形態に係る展示ケースＡでは、透明板１の端部２０に面取り加工により面取り面２２を形成し、これに導電線部３を添設することにより、正確に導電線部３を配置することが可能なものとなっている。また、接合部２では通常、端面２１やシール部２３、そして何より面取り面２２の箇所で光が屈折して透過するため、外部空間Ｔから面取り面２２に添設させた導電線部３を見る場合、接合部２の屈折箇所と導電線部３とが重複して視認されることとなり、導電線部３それ自体が接合部２の屈折箇所によって視認され難いものとなっている。すなわち、もともと透明板１の接合部２に起因する光の屈折を利用して、導電線部３を有効に見た目上隠蔽する、すなわち目立たないように配置し得たものとなっている。
【００３８】
さらに、導電線部３は接合部２自体に設けられるものではなく、透明板１の面取り面２２に添設させて位置付けられているので、透明板１を接合させて接合部２を形成し、しかる後に導電線部３を配置する行程により導電線部３を位置付けるといった組み付けが可能となっている。すなわち、透明板１の接合部２に溝を設けたもののように透明板１の接合時にのみ導電線部３を配置し得ないような態様に比べて、接合部２を形成する行程と、導電線部３を配置する行程とをそれぞれ前後させて行なうことができる。そうすることにより、展示ケースＡの組み付けの煩雑さを回避しつつ確実な組立を行ない得るものとなっている。
【００３９】
また本実施形態では、接合部２を、透明板１の端部２０同士を屈曲させた状態で接合させているので、接合部２での光の屈折をより有効に利用して、さらに導電線部３が外部空間Ｔから目立たないものとなっている。
【００４０】
さらに、接合部２によって展示空間Ｓ側に形成された入り隅に導電線部３を位置付けているので、当該導電線部３の位置決め・配置がより行い易いものとなっている。
【００４１】
そして本実施形態では、透明板１の端部２０間にシール部２３を介在させた接合部２に導電線部３を添設させているので、シール部２３を透過する光の屈折によってさらに導電線部３が目立ち難いものとなっているのみならず、シール部２３の厚み寸法と導電線部３の直径とが略等しいために、位置決めの容易さと外部空間Ｔからの視認のし難さとを有効に両立させたものとなっている。
【００４２】
加えて、導電線部３に樹脂カバー３３を設けることにより、具体的には透明の樹脂カバー３３を設けることにより、導電線部３の配置、位置決め作業をより行い易くするとともに、導電線部がより目立ち難いものとなっている。またさらに導電線部３は、灰色、詳細にはライトグレーの色彩をなした塗膜３２も設けている。そうすることにより当該塗膜３２の色彩が、例えばガラス製の透明板１のみならずアクリル製のものであっても、接合部２の箇所で透明板１の厚みが視認される場合の色彩に類似した保護色としての作用を奏しているので、導電線部３自体がさらに目立ち難いものとなっている。
【００４３】
続いて、以下に本実施形態に係る各変形例について詳述するが、以下の各変形例において上記実施形態と同様の構成要素については同じ符号を付すとともに、その詳細な説明を省略するものとする。
＜変形例１＞
本変形例については、図６及び図７に示すように、展示空間Ｓが平面視正方形状をなす点では上記実施形態と同じであるが、接合部２を構成する端面２１を、接合部２がなす角度、つまり屈曲する角度に応じて傾斜させて設けた傾斜端面２１ａとしている。詳細には、屈曲角度である９０°の二等分線に沿って４５°の角度をなすように傾斜端面２１ａを形成し、当該傾斜端面２１ａ同士をシール部２３を介して接合させたものである。
【００４４】
そして、導電線部３については上記実施形態と同様に、接合部２に形成された展示空間Ｓ側の入り隅に位置付けられた面取り面２２に添設させたものとしている。
【００４５】
このように本変形例を構成することにより、接合部２を外部空間Ｔ側から見た場合、導電線部３近傍には、光が屈折して透過するシール部２３や傾斜端面２１ａ、そして面取り面２２が上記実施形態よりも、より集中するように位置付けられているため、導電線部３の存在がより目立たないものとなっている。
＜変形例２＞
また、本発明は、上記実施形態並びに変形例１のように、入り隅に導電線部３を設けた態様に限定されるものではない。
【００４６】
すなわち、図８に示す展示ケースＡのように、平面視多角形状をなした展示ケースＡに本発明を適用する場合、図示の展示空間Ｓ側の出隅の箇所をなす接合部２に対して、当該接合部２の面取り面２２に添設させるように導電線部３を配置してもよい。
【００４７】
また導電線部３を配置した接合部２は、上記変形例１と同様に、接合部２によって屈曲した角の二等分線に沿った角度で形成された傾斜端面２１ａを有するものとしている。
【００４８】
特にこのように本変形例を構成することにより、接合部２を外部空間Ｔ側から見た場合、上記変形例１同様に光が屈折して透過する傾斜端面２１ａ、シール部２３及び面取り面２２が集中する点のみならず、接合部２近傍を通過する光は、実際には図９に矢印で示すように導電線部３を避けるように屈折して透過するため、実際には、図示矢印から接合部２を見た場合には、導電線部３が殆ど視認し得なくなる。すなわち、外部空間Ｔから展示空間Ｓ側を見た場合、導電線部３は近接した位置からは光の屈折により隠蔽されるとともに、当該出隅を展示空間Ｓ側から視認し得る位置からは端面２１や面取り面２２における光の屈折に紛れて視認し難くなるため、より導電線部３が目立たないものとなっている。
＜変形例３＞
さらに、本発明は上記実施形態並びに各変形例のように、接合部２において透明板１を屈曲させたものに限定されるものではない。
【００４９】
具体的には、図１０に示すように、透明板１同士を面方向に連続させるべく端部２０同士を接合させた接合部２に導電線部３を位置付けたものであっても良い。すなわち、同図に示すように、展示空間Ｓ側における面取り面２２とシール部２３の近傍に導電線部３を配置したものであっても良い。
【００５０】
このようなものであっても、接合部２を外部空間Ｔ側から見た場合、導電線部３近傍には、光が屈折して透過するシール部２３や傾斜端面２１ａ、そして面取り部が上記実施形態よりも、より集中するように位置付けられているため、従来よりも導電線部３の存在がより目立たないものとなっている。
【００５１】
以上、本発明の実施形態について説明したが、各部の具体的な構成は、上述した実施形態のみに限定されるものではなく、本発明の趣旨を逸脱しない範囲で種々変形が可能である。
【００５２】
例えば、上記実施形態並びに各変形例では透明板の端部の形状に応じて屈曲させる角度を設定した態様のみを開示したが、勿論シール部の断面視形状を変形させることにより、接合部の屈曲角度を設定したものであっても良い。
【００５３】
また例えば、上記実施形態では美術館や博物館に使用される展示ケースを主に開示したが、勿論、販売店舗において商品等を展示或いは陳列するための、いわゆるショーケースと呼ばれている態様の展示ケースに本発明の構成を適用したものであってもよい。また接合部において透明板同士がなす角度や接合部の延出方向すなわち透明板の接合する向き、また或いは接合部に設けた当面板の端面のなす角度等といった具体的な態様は、上記実施形態並びに各変形例のものに限定されることはなく、既存のものを含め、種々の態様のものを適用することができる。
【符号の説明】
【００５４】
１…透明板
２…接合部
２０…端部
２２…面取り面
２３…シール部
３…導電線部
３１…金属線
３２…塗膜
３３…樹脂カバー
Ａ…展示ケース
Ｓ…展示空間
Ｔ…外部空間
【図１】
0005593521.tif 000002
【図２】
0005593521.tif 000003
【図３】
0005593521.tif 000004
【図４】
0005593521.tif 000005
【図５】
0005593521.tif 000006
【図６】
0005593521.tif 000007
【図７】
0005593521.tif 000008
【図８】
0005593521.tif 000009
【図９】
0005593521.tif 000010
【図１０】
0005593521.tif 000011